(57)【要約】      （修正有）【課題】物理的なスペースが限られている場所でも、周囲の人に見られないよう気遣いすることなく、箱状の本体部に対して開閉自在に設けられた蓋体を開けたり閉めたりして、内容物の出し入れが容易に行うことができるキャリーバッグを提供すること。【解決手段】上部１Ａに把持部１１又は伸縮自在の引手部１２の少なくとも一方が設けられた箱状の本体部１と、本体部１の前側に位置する開口部１３を、開口部１３の周縁に設けられた線ファスナー２を介して開閉自在である蓋体３を備え、本体部１の外形を形成する枠部１４が、本体部１の前後方向に延び線ファスナー２までは届かない上辺部１４ａと、線ファスナー２が設けられた前辺部１４ｂと、上辺部１４ａと前辺部１４ｂを繋ぐ接続辺部１４ｃを有し、本体部１の上部１Ａの素材が、少なくとも蓋体２側において柔軟性を有する素材であるキャリーバッグ。【選択図】図１
2018075064.tif 000002
【特許請求の範囲】
【請求項１】
上部に把持部又は伸縮自在の引手部の少なくとも一方が設けられた箱状の本体部と、
前記本体部の前側に位置する開口部を、前記開口部の周縁に設けられた線ファスナーを介して開閉自在である蓋体を備え、
前記本体部の外形を形成する枠部が、前記本体部の前後方向に延び前記線ファスナーまでは届かない上辺部と、前記本体部の上下方向に延び前記線ファスナーが設けられている前辺部と、前記上辺部と前記前辺部を繋ぐ接続辺部を有し、
前記本体部の上部の素材が、少なくとも前記蓋体側において柔軟性を有する素材であることを特徴とするキャリーバッグ。
【請求項２】
前記接続辺部が、少なくとも斜辺又は円弧であることを特徴とする請求項１に記載のキャリーバッグ。
【請求項３】
前記上辺部の前側端部より前記開口部へ向かって配設され、前記上辺部よりも可撓性を有する補助上辺部を備えることを特徴とする請求項１又は請求項２に記載のキャリーバッグ。
【請求項４】
下部四隅に設けられたキャスターを備えることを特徴とする請求項１から請求項３のいずれかに記載のキャリーバッグ。
【発明の詳細な説明】
【技術分野】
【０００１】
本発明は、旅行、出張、通勤、通学、買物などの移動時において使用し、各種の荷物を内部に収納して運搬するキャリーバッグに関する。
【背景技術】
【０００２】
従来、箱状の収納部と、その収納部の開口部に対して開閉自在の蓋部を有し、その蓋部を開いて内部の荷物を取り出す構造を有する鞄が多く知られている。
【０００３】
例えば、特許文献１には、箱体１及び箱蓋２に対して、第二ファスナー１４を介して副蓋１３を開閉することができ、副蓋１３を開けて内部にパソコンなどの荷物を収容するトランクケースが開示されている。なお、本段落で説明のために付した符号は、特許文献１における符号である。
【先行技術文献】
【特許文献】
【０００４】
【特許文献１】実用新案登録第３１８２０８３号公報
【発明の概要】
【発明が解決しようとする課題】
【０００５】
しかしながら、特許文献１のトランクケースでは、箱体１、箱蓋２及び副蓋１３が硬質の素材で形成されているために、副蓋１３を開けて内部にパソコンなどの荷物を収容するときには、副蓋１３の外周縁に設けられた第二ファスナー１４を、取手がある上部側だけでなく、側面側も相当程度開かないと箱蓋２と副蓋１３との間に荷物を入れるスペースが確保できず、混んだ電車内や飛行機内など物理的なスペースが限られている場所では荷物の出し入れが困難であるという問題があった。
【０００６】
また、副蓋１３の開け閉めに伴って、周囲の人にトランクケースの中身を視認されるおそれがあるため、周囲の人に見られないように内容物を出し入れする気遣いが必要であった。なお、前段落と本段落で説明のために付した符号は、特許文献１における符号である。
【０００７】
そのため、本発明では、混んだ電車内や飛行機内など物理的なスペースが限られている場所においても、周囲の人に見られないよう気遣いをする必要がなく、箱状の本体部に対して開閉自在に設けられた蓋体を開けたり閉めたりして、内容物の出し入れが容易に行うことができるキャリーバッグを提供することを目的とする。
【課題を解決するための手段】
【０００８】
〔１〕すなわち、本発明は、上部（１Ａ）に把持部（１１）又は伸縮自在の引手部（１２）の少なくとも一方が設けられた箱状の本体部（１）と、前記本体部（１）の前側に位置する開口部（１３）を、前記開口部（１３）の周縁に設けられた線ファスナー（２）を介して開閉自在である蓋体（２）を備え、前記本体部（１）の外形を形成する枠部（１４）が、前記本体部（１）の前後方向に延び前記線ファスナー（２）までは届かない上辺部（１４ａ）と、前記本体部（１）の上下方向に延び前記線ファスナー（２）が設けられている前辺部（１４ｂ）と、前記上辺部（１４ａ）と前記前辺部（１４ｂ）を繋ぐ接続辺部（１４ｃ）を有し、前記本体部（１）の上部（１Ａ）の素材が、少なくとも前記蓋体（２）側において柔軟性を有する素材であることを特徴とするキャリーバッグである。
【０００９】
〔２〕そして、前記接続辺部（１４ｃ）が、少なくとも斜辺又は円弧であることを特徴とする前記〔１〕に記載のキャリーバッグである。
【００１０】
〔３〕そして、前記上辺部（１４ａ）の前側端部より前記開口部（１３）へ向かって配設され、前記上辺部（１４ａ）よりも可撓性を有する補助上辺部（１４ｄ）を備えることを特徴とする前記〔１〕又は前記〔２〕に記載のキャリーバッグである。
【００１１】
〔４〕そして、下部四隅に設けられたキャスター（４）を備えることを特徴とする前記〔１〕から前記〔３〕のいずれかに記載のキャリーバッグである。
【発明の効果】
【００１２】
本発明のキャリーバッグによれば、混んだ電車内や飛行機内など物理的なスペースが限られている場所においても、周囲の人に見られないよう気遣いをしなくても、箱状の本体部に対して開閉自在に設けられた蓋体を開けたり閉めたりして、内容物の出し入れが容易に行うことができる。
【図面の簡単な説明】
【００１３】
【図１】本発明のキャリーバッグにおいて、蓋体を閉じた状態の斜視図である。
【図２】本発明のキャリーバッグにおいて、蓋体を開けた状態の斜視図である。
【図３】本発明のキャリーバッグにおいて、蓋体を閉めた状態のＡ−Ａ線断面図である。
【図４】本発明のキャリーバッグにおいて、蓋体を開けた状態のＢ−Ｂ線断面図である。である。
【発明を実施するための形態】
【００１４】
以下、本発明に係るキャリーバッグに関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。明細書における上方向は、図３、図４における上方向であり、前方向は、図３、図４における右方向であり、右方向は、図３、図４における紙面奥方向である。
【００１５】
図１〜図４に示すように、本実施形態のキャリーバッグは、上部１Ａに把持部１１及び伸縮自在の引手部１２が設けられた箱状の本体部１と、本体部１の前側に位置する開口部１３を覆う蓋体２と、本体部１の下部１Ｃの四隅にキャスター４などを備えている。
【００１６】
本体部１は、物品を収納する部材であり、本実施形態において上下方向に長い矩形状を有している。また、その一面である前面の全体が開いている開口部１３を有しており、開口部１３から物品の出し入れを行う。なお、本体部１は、本実施形態において矩形状であるが、他の実施形態において略台形状、正方形などの矩形状以外の多角形状などとすることもできる。
【００１７】
そして、本体部１の上部１Ａの中央近傍には、ベルト状で両端が上部１Ａに取り付けられた把持部１１が設けられている。把持部１１の中央近傍と上部１Ａとの間の空間に使用者等が指を入れて本体部１を上に持ち上げることができる。また、本体部１の上部１Ａの後側には、伸縮自在のスライダーと一体化された引手部１２が設けられている。使用者等が引手部１２を伸ばした状態又は縮めた状態で握り、キャスター４により本体部１をスムーズに動かすことができる。
【００１８】
そして、本体部１には、その外形を形成する枠部１４が設けられている。具体的に、その枠部１４は、上部１Ａの端部であって本体部１の前後方向に延び線ファスナー２までは届かない上辺部１４ａと、本体部１の上下方向に延び線ファスナー２が設けられている前辺部１４bと、上辺部１４ａと前辺部１４ｂを繋ぐ接続辺部１４ｃなどにより構成されている。
【００１９】
上辺部１４ａは、上部１Ａの左右両端部において、後側から前側途中まで配設されており、線ファスナー２及び開口部１３までは届かない長さで配設されている。上辺部１４ａは、上部１Ａの後側を起点に、後側から前側までの幅の４０〜９９％の長さで設けられていることが好ましく、さらに５０〜６０％の長さで設けられていることが好ましい。上辺部１４ａの長さが、この範囲であると、後述する口折れ部１５を押し広げたときに、図２の状態まで線ファスナー２を開けなくても、本体部１にパソコン等の情報処理端末や書類などを収納するために十分なスペースを確保しながらも、周囲の人に本体部１の内部を見られる心配もないちょうどよい空間を作ることができる。また、口折れ部１５を垂直にきれいに折れ曲がらせるためには接続辺部１４ｃを上辺部１４ａに対し４５°程度の角度に設定することが好ましい。
【００２０】
前辺部１４bは、線ファスナー２が設けられている、本体部１の前側である開口部１３の周縁のうち上下方向に配設されている。前辺部１４ｂは、下部１Ｃ側を起点に、下部１Ｃから上部１Ａまでの幅の７０〜９９％の長さで設けられていることが好ましい。前辺部１４ｂの長さが、この範囲であると、線ファスナー２を上部１Ａ付近だけ開ければ、後述する口折れ部１５を押し広げたときに、本体部１にパソコン等の情報処理端末や書類などを収納するために十分なスペースを確保することができる。
【００２１】
接続辺部１４ｃは、上辺部１４ａの前側端部と、前辺部１４bの上側端部を繋ぐよう配設されている。本実施形態において、接続部１４ｃは、傾斜した直線形状であるが、他の実施形態において、上側に凸となる曲線形状や、下側に凸となる曲線形状などとすることもできる。
【００２２】
本体部１の上部１Ａは、後述する口折れ部１５を含む一の柔軟性を有する素材とすることができる。そして、そのときには、上部１Ａの口折れ部１５以外の部分の形状を略平面状に維持するために、上部１Ａのうち口折れ部１５以外の部分である、左右両端部の上辺部１４ａの間の横幅範囲の裏面に樹脂板等の上部１Ａの部材よりも硬い板状の部材を固設することが好ましい。このように構成することにより、上部１Ａのうち口折れ部１５以外の部分は樹脂板等に支えられて変形しにくく、口折れ部１５は柔軟性を有するために容易に変形するようにすることができる。
【００２３】
そして、上部１Ａにおいて左右両端部の上辺部１４ａが途切れた場所近傍より蓋体側の線ファスナー２に至るまでの部分及び側部１Ｂにおいて接続辺部１４ｃより上側が、柔軟性を有する口折れ部１５として構成されている。口折れ部１５の素材は、特に限定されるものではないが、ポリエチレンテレフタレートなどのポリエステル繊維、ナイロンなどのポリアミド繊維、ポリエチレンなどのポリオレフィン繊維、又はこれらの複合繊維などの化学繊維等で、１〜１５ｍｍなど所定の厚みを有する平板状の素材であることが好ましい。口折れ部１５を、柔軟性を有する素材とすることにより、図２の状態まで線ファスナー２を開けなくても、線ファスナー２において蓋体の上部１Ａ側を開けるだけで、口折れ部１５を押し広げることができ、本体部１にパソコン等の情報処理端末や書類などを収納することができる。このようにして、混んだ電車内や飛行機内など物理的なスペースが限られている場所においても、周囲の人に見られないよう気遣いをしなくても、箱状の本体部に対して開閉自在に設けられた蓋体を開けたり閉めたりして、内容物の出し入れが容易に行うことができる。
【００２４】
また、左右両端部の上辺部１４ａの前側端部より開口部１３へ向かって、上辺部１４ａよりも可撓性を有する補助上辺部１４ｄを配設することもできる。補助上辺部１４ｄは、上辺部１４ａが後側から前側までの幅の５０〜６０％の長さで設けられているときに、その足りない部分を補完するよう後側から前側までの幅の４０〜５０％の長さで設けられていることが好ましい。補助上辺部１４ｄを配設することにより、上部１Ａから側部１Ｂに至る折れ曲がる箇所において、口折れ部１５の形状を９０度の角度近くなるよう保持することでき、本体部１の矩形状の形状を美しく見せることができる。また、補助上辺部１４ｄは、口折れ部１５の表側に配設することもできるし、裏側に配設することもできる。補助上辺部１４ｄの材料としては、特に限定されるものではないが、ポリプロピレン、ポリエチレン、ポリ酢酸ビニル、ＡＢＳ樹脂、ポリアセタール、ポリエステルなどの高分子材料等で、所定の太さを有する棒状の材料であることが好ましい。補助上辺部１４ｄとして可撓性を有する材料を用いることにより、図１、図３のように口折れ部１５を押し広げないとき、本体部１の全体の矩形状の一部として形状を保持することができ、一方、図２、図４に示すように、口折れ部１５を押し広げるときには撓んで荷物の出し入れに支障を来さないようにすることができる。
【００２５】
線ファスナー２は、蓋体３の周縁と開口部１３の周縁を開閉自在とするための部材である。本体部１の左右の側部１Ｂ側、上部１Ａ側に、略コの字状に設けられている。図１などに示すように、線ファスナー２の持ち手部が二つ設けられており、上部１Ａ側だけ開けることができる。
【００２６】
蓋体３は、開口部１３を覆う部材である。蓋体３はおおよそ開口部１３と同じ外形状をしている板状の部材で、蓋体３を閉じたときに本体部１と一体となって、略直方体形状となる。蓋体３の前方には、持ち手部を二つ備える蓋体ファスナー３２を介して、蓋体３よりも一回り小さい副蓋３１が設けられている。蓋体ファスナー３２が、線ファスナー２と同様に左右側及び上側に略コの字状に設けられているので、蓋体３と副蓋３１との間に薄手の物品や小物を収納することができる。
【００２７】
また、副蓋３１の前方には、持ち手部を一つ備え左右方向に開閉自在となる副蓋ファスナー３３が設けられており、副蓋ファスナー３３を開け閉めすることにより、副蓋３１の前側にハンカチやティッシュなど薄手の物品や小物をさらに収納することができる。
【００２８】
キャスター４は、下部四隅に設けられた部材である。使用者等がキャスター４の車輪を転がしながら運搬することができるので、本体部１に多くの物品を収納し重たくなったとしても把持部１１で持ち上げて運搬することに比べれば引手部１２を引っ張ることにより楽に運搬することができる。
【００２９】
第一仕切部５は、本体部１の内部に位置し、本体部１の内部の空間を前側の前室α、後側の後室βに区分けする膜状の部材である。仕切部５が、外周の左右側及び上側において一続きになっている図示しないスライドファスナーが取付けられており、衣類や土産物などの嵩張る物品などは後室βへ収納し、ノート型パソコンやタブレット端末などの携帯型情報端末や書類などの薄手の物品は前室αに収納することができる。
【００３０】
さらに、前室αには、前室α内を区分けする膜状の第二仕切部６及び第三仕切部７が設けられている。第二仕切部６及び第三仕切部７は、第一仕切部５よりも高さが低いために、第一仕切部５と第二仕切部６などで形成される収納部、第二仕切部６と第三仕切部７などで形成させる収納部、第三仕切部７と蓋体３などで形成される収納部の３つの収納部を形成している。これにより、前室αは、線ファスナー２を開けることで上側に向かって開口するポケット状の収納部を複数形成することとなり、それらの収納部へノート型パソコンやタブレット端末などの携帯型情報端末や書類などの薄手の物品などを収納することができる。
【００３１】
本実施形態において、上部１Ａ、側部１Ｂ、下部１Ｃ及び蓋体３の外層は柔軟性を有する素材からなるソフトタイプのキャリーバッグであるが、他の実施形態において、口折れ部１５を除く上部１Ａと側部１Ｂの外層、そして、下部１Ｃ及び蓋体３の外層は硬い素材からなるハードタイプのキャリーバッグとすることもできる。
【符号の説明】
【００３２】
１・・・本体部
１Ａ・・・上部
１Ｂ・・・側部
１Ｃ・・・下部
１１・・・把持部
１２・・・引手部
１３・・・開口部
１４・・・枠部
１４ａ・・・上辺部
１４ｂ・・・前辺部
１４ｃ・・・接続辺部
１４ｄ・・・補助上辺部
１５・・・口折れ部
２・・・線ファスナー
３・・・蓋体
３１・・・副蓋
３２・・・蓋体ファスナー
３３・・・副蓋ファスナー
４・・・キャスター
５・・・第一仕切部
６・・・第二仕切部
７・・・第三仕切部
α・・・前室
β・・・後室
【図１】
2018075064.tif 000003
【図２】
2018075064.tif 000004
【図３】
2018075064.tif 000005
【図４】
2018075064.tif 000006